【事件の表示】
　特願２０１４−２５１４５０「プリズムシート、面光源装置、映像源ユニット、及び液晶表示装置」拒絶査定不服審判事件〔平成２７年　５月　７日出願公開、特開２０１５−　８７７７４〕について、次のとおり審決する。
【結　論】
　本件審判の請求は、成り立たない。
【理　由】
第１　手続の経緯
　本願は、平成２６年９月２６日（優先権主張平成２５年９月２６日）に出願した特願２０１４−１９６７９８号の一部を平成２６年１２月１２日に新たな特許出願としたものであって、平成２６年１２月２６日付けで拒絶の理由が通知され、平成２７年２月４日付けで意見書が提出されるとともに手続補正がなされ、同年２月１９日付けで拒絶査定がなされ、これに対して、同年５月２５日付けで拒絶査定不服審判が請求されると同時に手続補正がなされ、その後、当審において平成２８年４月１８日付けで拒絶理由（以下、「当審拒絶理由」という。）が通知され、同年６月９日に意見書が提出されるとともに手続補正がなされたものである。
　
第２　本願発明
　本願の請求項１−５に係る発明は、平成２８年６月９日付けの手続補正で補正された特許請求の範囲の請求項１−５に記載された事項により特定されるものと認められる。
　そのうち、本願の請求項１に係る発明（以下、「本願発明」という。）は以下のとおりである。
「光源と、
前記光源から出射した光を導光する導光板と、
前記導光板の出光面側に配置されるプリズムシートと、を備え、
　前記導光板は、
前記出光面側の面に集光作用を及ぼす複数の凸部である単位光学要素が配置された凹凸形状を具備しており、
　前記プリズムシートは、
光透過性を有するシート状の本体部と、
前記本体部より前記導光板側に配置され、複数の凸状であり、該凸状の断面形状はその先端の頂点を挟んで一方が入光面、他方が反射面として作用する単位プリズムがシート面に沿った方向に配列された単位プリズム部と、
前記本体部のうち前記導光板側とは反対側に配置された光拡散層と、を備え、
　前記複数の単位プリズムのピッチをＰ（μｍ）、前記光拡散層の表面粗さをＲａ（μｍ）としたとき、ギラツキ指標が０．１１０未満、Ｒａが０．０３８（μｍ）以上において、
　　Ｒａ≦−０．０２９６・Ｐ＋１．９４４１
が成り立つ、面光源装置。」
第３　当審拒絶理由の概要
　平成２８年４月１８日付けで通知された当審拒絶理由は、概略、以下のとおりである。
　平成２７年５月２５日付けの手続補正で補正された請求項１ないし４に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法２９条２項の規定により特許を受けることができない。  
 　 
 　　　 　　　　　　　　　　　　　　記  
 　引用例１．国際公開２００８／０７２５８１号
 　引用例２．特開２００９−３００８６９号公報
 　引用例３．特開２００４−４６０７６号公報
　平成２７年５月２５日付けの手続補正で補正された請求項１に係る発明は、引用例１に記載された発明及び慣用技術（例．引用例２及び３）に基づいて、当業者が容易に想到し得たものである。
　平成２７年５月２５日付けの手続補正で補正された請求項１を引用する請求項２ないし４に係る発明で限定されている事項については、引用例１に記載されていることから、平成２７年５月２５日付けの手続補正で補正された請求項２ないし４に係る発明は、引用例１に記載された発明及び慣用技術（例．引用例２及び３）に基づいて、当業者が容易に想到し得たものである。
第４　引用例
１　平成２８年４月１８日付けで当審において通知した拒絶の理由に引用された国際公開第２００８／０７２５８１号（以下「引用例１」という。）には、次の事項が図とともに記載されている（下線は審決で付した。以下同じ。）。
（１）「［0002］
　また、本発明は、光拡散フィルム及びその製造方法に関するものである。
特に、本発明は、液晶表示装置のバックライトとして使用され得る面光源装置を構成するのに好適な光拡散フィルム及びそれを用いた面光源システムに関する。
（２）「［0004］
　また、バックライト用の光拡散フィルムとしては、たとえば特開２０００−１９３８０５号公報（特許文献３）に記載の光拡散シートがある。しかし、このような光拡散シートには、次のような技術的課題がある：
　　（１）樹脂シートを用いた型転写によるものであると、その生産安定性に乏しい；
　　（２）
光偏向素子による指向性の高い光源を用いるとぎらつき現象（スペックル）が発生する。
（３）「［0010］
　また、
本発明の他の目的は、光透過性が高く、ぎらつきのない、高い隠蔽性を有する光拡散フィルムを提供することにある。
（４）「［0016］
　本発明によれば、上記の課題の幾つかを解決するものとして、
　ロール状金型表面をブラスト処理することで得られる不規則な微細凹凸構造を、活性エネルギー線硬化樹脂を用いて透明基材上に転写硬化することで得られる光拡散フィルムであって、該微細凹凸構造の局部山頂の平均間隔Sが5〜30μｍ（好ましくは10〜26μｍ、さらに好ましくは10〜20μｍ）であることを特徴とする光拡散フィルム、
が提供される。
　・・・略・・・
　
［0018］
　本発明の一態様においては、前記微細凹凸構造の算術平均傾斜角RΔaが1.5〜9.0度（好ましくは1.5〜4.6度、より好ましくは2.0〜4.6度、さらに好ましくは2.5〜3.8度）である。本発明の一態様においては、前記微細凹凸構造の凹凸間ピッチSmが20〜80μｍ（好ましくは25〜70μｍ、さらに好ましくは30〜60μｍ）である。本発明の一態様においては、前記光拡散フィルムの全光線透過率が90％以上であり（好ましくは92％以上）、拡散透過率が20〜80％（好ましくは25〜55％、さらに好ましくは30〜50％）である。本発明の一態様においては、前記光拡散フィルムの全光線透過率が90％以上であり（好ましくは92％以上）、ヘイズ値が25〜85（好ましくは30〜60、さらに好ましくは35〜55）である。本発明の一態様においては、前記微細凹凸構造の算術平均粗さRaが0.06〜0.7μｍ（好ましくは0.09〜0.40μｍ、さらに好ましくは0.10〜0.25μｍ）、10点平均粗さが0.5〜2.5μｍ（好ましくは0.7〜2.0μｍ、さらに好ましくは0.7〜1.9μｍ）、である。本発明の一態様においては、前記光拡散フィルムに所望の分布を有する光を法線方向から入射したときの光拡散フィルムからの出射光法線輝度の輝度低下率が35％以下（好ましくは25％以下、さらに好ましくは20％以下）である。
［0019］
　
本発明の一態様においては、前記拡散フィルムの裏面にプリズムが付与されている。
　・・・略・・・
［0023］
　また、本発明によれば、
　
一次光源と、該一次光源の光を端面より入射し導光して出射面より出射させる導光板と、該導光板より出射する光を該出射面の上方へ偏角するレンズ列を付与された光拡散フィルムとを備え、該光拡散フィルムの上に直接液晶素子を載置する面光源システム
　前記光拡散フィルムは、ロール状金型表面をブラスト処理することで得られる微細凹凸構造を、活性エネルギー線硬化樹脂を用いて透明基材上に転写硬化することで得られる光拡散フィルムであって、該微細凹凸構造の局部山頂の平均間隔が10〜30μｍ（好ましくは10〜26μｍ）であることを特徴とする面光源システム、及びそれに用いる光拡散フィルム、
が提供される。
・・・略・・・
［0027］
　また、本発明によれば、以下の効果が得られる：
　　（１）ロール金型を用いて歩留まりや生産性が高く、連続的に安価な光拡散フィルムを製造することができる；
　　（２）
光拡散フィルムは均一で緻密な凹凸構造が形成されているため、光透過性が高く、ぎらつきのない、高い隠蔽性を有する光拡散フィルムが製造できる
　　（３）枚葉生産ではないので、製造コストが低減される。」
（５）「［0041］
　以下、本発明の光拡散フィルムの実施の形態を説明する。
　・・・略・・・
［0051］
　前記微細凹凸構造の算術平均粗さRaが0.07〜0.7μｍ（好ましくは0.07〜0.5μｍ、さらに好ましくは0.08〜0.4μｍ、最も好ましくは0.1〜0.25μm）であり、10点平均粗さRｚが0.5〜2.5μｍ（好ましくは0.7〜2.0μｍ、さらに好ましくは0.7〜1.9μｍ）であるのが望ましい。光拡散フィルムの算術平均粗さRaが0.07μｍ、及び、10点平均粗さRｚが0.5μｍより小さいと、充分な拡散性や隠蔽性を発現することができない。一方、算術平均粗さRaが0.7μｍより大きく、10点平均粗さRｚが2.50μｍより大きいと、過剰な散乱、戻り光による透過光の損失及び輝度の低下が大きく好ましくない。
［0052］
　前記光拡散フィルムに所望の分布を有する光を法線方向から入射したときの光拡散フィルムからの出射光法線輝度の輝度低下率が35％以下（好ましくは30％以下、さらに好ましくは25％以下、最も好ましくは20％以下）であるのが望ましい。
［0053］
　
前記拡散フィルムの裏面にプリズムが付与されてもよい。
　・・・略・・・
［0057］
　以上の光拡散フィルムを用いて、該光拡散フィルムに入射する光の入光分布の全半値幅が40度以下（好ましくは30度以下、さらに好ましくは２５度以下）の指向性の高い表示システムを構成することができる。指向性の強い表示システムにおいては、ぎらつき（スペックル）が強く発生する傾向にある。
ぎらつき防止効果の観点からは、光拡散フィルムに入射する光の入光分布の全半値幅が40度以下の指向性の高い表示装置に対して、本発明の光拡散フィルムの技術を適用すれば、改善効果が高い。
［0058］
　
一次光源と、該一次光源の光を端面より入射し導光して出射面より出射させる導光板と、該導光板より出射する光を該出射面の上方へ偏角するレンズ列を付与された光拡散フィルムとを備え、該光拡散フィルムの上に直接液晶素子を載置する面光源システム
（６）「［0074］
　さて、
図１に示されているように、エッジライト方式の面光源装置は、少なくとも一つの側端面を光入射端面３１とし、これと略直交する一つの主表面を光出射面３３とする板状の導光体３と、この導光体３の光入射端面３１に対向して配置され光源リフレクタ２で覆われた線状の一次光源１と、導光体３の光出射面上に配置された光偏向素子としてのレンズシートたるプリズムシート４
［0075］
　
導光体３は、ＸＹ面と平行に配置されており、全体として矩形板状をなしている。
［0076］
　
導光体３の光入射端面３１に略直交した２つの主面は、それぞれＸＹ面と略平行に位置しており、いずれか一方の面（図では上面）が光出射面３３となる。この光出射面３３に粗面やレンズ列からなる指向性光出射機構を付与することによって、光入射端面３１から入射した光を導光体３中を導光させながら光出射面３３から光入射端面３１および光出射面３３に直交する面（ＸＺ面）内において指向性のある光を出射させる。
［0077］
　導光体３の表面に形成する粗面やレンズ列は、ＩＳＯ４２８７／１−１９８４による平均傾斜角θａが０．５〜１５度の範囲のものとすることが、光出射面３３内での輝度の均斉度を図る点から好ましい。平均傾斜角θａは、さらに好ましくは１〜１２度の範囲であり、より好ましくは１．５〜１１度の範囲である。この平均傾斜角θａは、導光体３の厚さ（ｄ）と入射光が伝搬する方向の長さ（Ｌ）との比（Ｌ／ｄ）によって最適範囲が設定されることが好ましい。すなわち、導光体３としてＬ／ｄが２０〜２００程度のものを使用する場合は、平均傾斜角θａを０．５〜７．５度とすることが好ましく、さらに好ましくは１〜５度の範囲であり、より好ましくは１．５〜４度の範囲である。また、導光体３としてＬ／ｄが２０以下程度のものを使用する場合は、平均傾斜角θａを７〜１２度とすることが好ましく、さらに好ましくは８〜１１度の範囲である。
・・・略・・・
［0079］
　さらに、導光体３としては、その光出射率が０．５〜５％の範囲にあるものが好ましく、より好ましくは１〜３％の範囲である。光出射率を０．５％以上とすることにより、導光体３から出射する光量が多くなり十分な輝度が得られる傾向にある。また、光出射率を５％以下とすることにより、一次光源１の近傍での多量の光の出射が防止され、光出射面３３内でのＸ方向における出射光の減衰が小さくなり、光出射面３３での輝度の均斉度が向上する傾向にある。このように導光体３の光出射率を０．５〜５％とすることにより、光出射面から出射する光の出射光光度分布（ＸＺ面内）におけるピーク光の角度が光出射面の法線に対し５０〜８０度の範囲にあり、光入射端面と光出射面との双方に垂直なＸＺ面における出射光光度分布（ＸＺ面内）の半値全幅が１０〜４０度であるような指向性の高い出射特性の光を導光体３から出射させることができ、その出射方向をプリズムシート４で効率的に偏向させることができ、高い輝度を有する面光源装置を提供することができる。［0080］
　本発明において、導光体３からの光出射率は次のように定義される。光出射面３３の光入射端面３１側の端縁での出射光の光強度（Ｉ０）と光入射端面３１側の端縁から距離Ｌの位置での出射光強度（Ｉ）との関係は、導光体３の厚さ（Ｚ方向寸法）をｄとすると、次の式（３）
　　Ｉ＝Ｉ０（Ａ／１００）［１−（Ａ／１００）］Ｌ／ｄ　・・・　（３）
のような関係を満足する。ここで、定数Ａが光出射率であり、光出射面３３における光入射端面３１と直交するＸ方向での単位長さ（導光体厚さｄに相当する長さ）当たりの導光体３から光が出射する割合（百分率：％）である。この光出射率Ａは、縦軸に光出射面２３からの出射光の光強度の対数をとり、横軸に（Ｌ／ｄ）をとり、これらの関係をプロットすることで、その勾配から求めることができる。
・・・略・・・
［0083］
　
プリズムシート４は、導光体３の光出射面３３上に配置されている。
入光面４１は、複数のＹ方向に延在するプリズム列が互いに平行に配列されたプリズム列形成面とされている。
［0084］
　図４には、プリズムシート４によるＸＺ面内での光偏向の様子が模式的に示されている。この図では、ＸＺ面内での導光体３からのピーク光（出射光分布のピークに対応する光）の進行方向の一例が示されている。導光体３の光出射面３３から角度αで斜めに出射されるピーク光の大部分は、
プリズム列４１１の第１のプリズム面４１１ａへ入射し第２のプリズム面４１１ｂによりほぼ内面全反射されてほぼ出光面４２の法線の方向に進行し、出光面４２から出光する。
・・・略・・・
［0087］
　一次光源１はＹ方向に延在する線状の光源であり、該
一次光源１としては例えば蛍光ランプや冷陰極管を用いることができる。
（７）「［0113］
　以下、本発明の光拡散フィルムについて、実施例により更に具体的に説明する。
［0114］
　［実施例２１］
　＜評価方法＞
　　（１）ヘイズ値（Hz）、全光線透過率（Tt）、拡散透過率（Dfs）：上記と同様に行った。
　　（２）表面凹凸ピッチ（Sm）、局部山頂の平均間隔（Ｓ）、算術平均粗さ（Ra）、10点平均粗さ（Rz）、算術平均傾斜角（RΔa）：上記と同様に行った。
　　（３）
ぎらつき評価：冷陰極管を側面に配置した１５インチサイズのアクリル樹脂製導光体の光出射面上に、14.1インチサイズの全反射形プリズムシートＭ268ＹＫ（三菱レイヨン製）をプリズム列形成面が下向きとなるように載置し、導光体の側面および裏面を反射シートで覆い、面光源装置を得た。
この上に、作製された拡散フィルムを載置して、暗室内でぎらつき程度を目視評価した。
ただし、裏面にレンズ列を付与したもの（実施例５３〜８４）は前記14.1インチ導光板の上に前記M268YKの代わりに本試作のレンズ列付光拡散フィルムを載置してぎらつきの目視評価を行った。
　　（４）欠陥隠蔽性：（３）の面光源装置のプリズムシートのプリズム列形成面とは反対側の平坦面即ち透光性基材の主面の上に、種々の空間周波数を有する縞模様パターンの形成されたチャート（厚さ１.5ｍｍ）を、縞模様が形成されている面を下向きにして乗せ、さらにその上に上記の光拡散性光学フィルムを凹凸構造を備えている面を上向きにして乗せる。ここで縞模様パターンは、白ラインと黒ラインとの組み合わせを１ラインペアとし、このラインペアが１ｍｍの幅の中に何組設けてあるかを空間周波数として示すものである。光拡散性光学フィルムの上からチャートの縞模様を見た際に、何ラインペア以上の縞模様が目視で識別できなくなるかを調べ、そのラインペア数をその光拡散性光学フィルムの隠蔽度と定義する。単位としてはlp/mmを用い、この値が小さいほど光学フィルムの隠蔽性は高いことを示している。
［0115］
 　＜サンプル作製＞
　直径200ｍｍφ、長さ７３０ｍｍの鉄心外周部に300μｍの銅めっきを施し、さらに銅の酸化防止のためにニッケルめっきを施したロ−ル金型を作製し、これを10度ステップで回転させながら都度ブラスト加工を行った。ブラスト加工は、表２に示したように、ロ−ル表面から220ｍｍの距離に8ｍｍφのブラストノズルを配置し、該ロール金型の回転中心に向かって吐出圧0.2MPaで研削材を吹き付けて加工を行った。前記研削材には、中心粒径が15〜20μｍ、上限粒子径が41μｍの球形セラミックビーズ（＃1000）を用い、これらを前記金型全面に吹き付け、微細凹凸形状を有するロール金型を作製した。
［0116］
　次いで、前記ロール型とゴムニップロールを平行に隣接配置し、それらの間に厚さ１８８μｍのＰＥＴフィルム（東洋紡績社製、商品名Ａ４３００）からなる透光性基材をロール型に沿って供給し、ゴムロールに接続した空気圧シリンダーにより、ゴムロールとロール型との間で透光性基材をニップした。
［0117］
　一方、以下の紫外線硬化性組成物
　　　フェノキシエチルアクリレート（大阪有機化学工業社製ビスコート＃１９２）：５０重量部
　　　ビスフェノールＡ−ジエポキシ−アクリレート（共栄社油脂化学工業社製エポキシエステル３０００Ａ）：５０重量部
　　　２−ヒドロキシ−２−メチル−１−フェニル−プロパン−１−オン（チバガイギー社製ダロキュア１１７３）：１．５重量部
に、さらに前記紫外線硬化樹脂との屈折率差が0.08、粒径3μｍのシリコーン微粒子（トスパール130：東芝シリコーン製）を10重量部混合し、粘度３００ｍＰａ・Ｓ／２５℃に調整した。
［0118］
　この
紫外線硬化性組成物を、ゴムロールによりロール型へとニップされている透光性基材の一方の表面に供給した。ロール型を回転させながら、紫外線硬化性組成物がロール型と透光性基材との間に挟まれた状態で、紫外線照射装置から紫外線を照射し、紫外線硬化性組成物を重合硬化させロール型の形状転写面の凹凸構造を転写させた。
［0119］
　［実施例２２〜２９］
　ブラスト加工に際して、中心粒径が10〜35μｍで上限粒径が45μｍの球形ガラスビ−ズを用い、ブラスト距離及びブラスト吐出圧を表２のようにしたこと以外は、実施例２１と同様の方法にて光拡散フィルムを作製した。表２に作製した光拡散フィルムのマットの特性と評価結果を示す。 
　・・・略・・・
［0127］
　
［実施例５３〜８４］
　実施例２１〜５２のすべての光拡散フィルムの裏面側に並列配置の多数のプリズム列を付与した形態の光拡散フィルムを作製した。プリズム列を付与する方法としては、前記光拡散フィルムの紫外線硬化樹脂を用いた形状転写方法と同様の手法を用いた。その際に使用するロール型は、頂角68度の断面が三角形状のダイヤモンドバイトを用いて、ロール金型の回転軸方向に50μｍピッチで多数のプリズム列切削加工を行うことで作製した。
［0128］
　作製した光拡散フィルムを用いて前記14.1インチサイズのバックライトを構成し、暗室にてぎらつきの目視評価を行ったところ、全てのサンプルにおいて、前記実施例２1〜４４の光拡散フィルムのぎらつき評価結果とほぼ同様な評価結果が得られ、ぎらつきのないレンズ列の付与された拡散フィルムを作製することができた。
［0129］
［表２］
」
（８）「［図１］
」
（９）「［図４］
」
（１０）上記（７）の［0115］〜［0119］、［0127］〜［0129］［表２］の記載からみて、実施例２１の光拡散フィルムの裏面側に並列配置の多数のプリズム列を付与した形態の実施例である実施例５３の光拡散フィルムは、［0129］［表２］の実施例２１の算術平均粗さＲａの欄に記載された算術平均粗さＲａ（μｍ）を有しているといえ、実施例５３（［0129］［表２］中、実施例２１）の算術平均粗さＲａは０．０６９μｍである。
（１１）引用例１の実施例２１は、
透光性基材の一方の表面に供給された紫外線硬化性組成物を重合硬化させロール型の形状転写面の微細凹凸構造を転写させて、前記一方の表面に微細凹凸構造を形成して得られた光拡散フィルムであり、
（１２）引用例１の実施例５３は、光透過性を高くするとともに、ぎらつきがなく、高い隠蔽性を有するために、透光性基材の表面に転写硬化された微細凹凸構造を有した光拡散フィルムにおいて、微細凹凸構造の算術平均粗さＲａが０．０６９μｍであるレンズ列の付与された光拡散フィルム（［0127］〜［0129］［表２］）である。
（１３）引用例１の実施例５３は、表面に微細凹凸構造を有する光拡散フィルムの裏面にプリズム列を付与された光拡散フィルムであって、プリズム列を転写硬化するにあたり、頂角６８度であって、断面形状が三角形状のダイヤモンドバイトを用いて、５０μｍのピッチで切削加工されたロール金型を用いていることから、結果として光拡散フィルムの裏面に形成された
プリズム列を構成するプリズムは、断面が三角柱状であり、ピッチは５０μｍ
（１４）上記（１）ないし（１３）から、引用例１には、次の発明（以下、「引用発明」という。）が記載されていると認められる。
「冷陰極管からなる一次光源を側面に配置した矩形板状であるアクリル樹脂製導光体の光出射面上に、レンズ列付光拡散フィルムをプリズム列形成面が下向きとなるように載置し、導光体の側面および裏面を反射シートで覆った面光源装置において、
（［0075］、［0087］、［0114］から）
　レンズ列付光拡散フィルムは、
　ＰＥＴフィルムからなる透光性基材の一方の表面に供給された紫外線硬化性組成物を重合硬化させロール型の形状転写面の微細凹凸構造を転写させて前記一方の表面に微細凹凸構造を形成し、裏面側に並列配置の多数のプリズム列を付与した光拡散フィルムであって、
（上記（１１）及び［0116］から）
　前記プリズム列を構成するプリズムは、断面が第１のプリズム面及び第２のプリズム面を有する三角形状であって、ピッチが５０μｍであり、
（上記（１３）から）
　前記プリズムは、第１のプリズム面へ入射した光を第２のプリズム面によりほぼ内面全反射されてほぼ出光面の法線の方向に進行させ、
（上記［0084］から）
　前記一方の表面における微細凹凸構造の算術平均粗さＲａが０．０６９μｍである、
（上記（１２）から）
　レンズ列付光拡散フィルムを有した、
　面光源装置。」
２　周知の事項
（１）平成２８年４月１８日付けで当審において通知した拒絶の理由に引用された特開２００９−３００８６９号公報（以下「周知例１」という。）には、次の事項が図とともに記載されている。
ア　「【背景技術】
【０００２】
　ノートパソコン、携帯電話等の液晶表示装置等においては、液晶表示面の背面で、光源から導光板に光を入射して発光させる面発光が利用されている。このような液晶表示装置においては、光源から得られる光をより効率的に利用するために、面光源からの光を特定の方向に集中して出光させるためのプリズムシートが用いられている。
【０００３】
　例えば、
図６に示すように、反射シート１０１と、導光板１０２と、プリズムシート１０５と、光拡散フィルム１０６とが順に載置され、導光板１０２の側面に光源１０３と光源用反射フィルム１０４とを有するような面光源装置が用いられている。
　この面光源装置では、光源１０３から出た光が、光源用反射フィルム１０４によって導光板１０２に入射される。入射された光は、プリズムシート１０５により一定方向に揃えられ、光拡散フィルム１０６により、液晶表示装置の用途に応じた視野角範囲内に拡散される。こうして、光拡散フィルム１０６から均一に放射された光が、液晶表示面を点灯させる。一方、導光板１０２の反射シート１０１側に放出されてきた光も、反射シート１０１によって導光板１０２中へと戻すことにより損失が抑えられる。このように、光源からの光を高い効率で利用することで、優れた輝度を有する液晶表示装置が得られる。」
イ　「【００２６】
　（プリズムシート）
　さらに、必要に応じて、光拡散フィルム１０にプリズム層を設け、光拡散層１２とプリズム層とが一体化したプリズムシートとしてもよい。このようなプリズムシートについて、図４を用いて説明する。図４は、本発明の一実施形態にかかるプリズムシート３０の断面図である。プリズムシート３０は、光拡散フィルム１０の面１５側に、中間層３２とプリズム列３４からなるプリズム層３１が設けられている。
【００２７】
　＜プリズム層＞
　プリズム層３１は、中間層３２とプリズム列３４とにより構成されている。プリズム層３１の厚さは特に限定されないが、例えば、１５〜１００μｍの範囲で決定することが好ましい。上記範囲の下限値未満であるとプリズム形状の再現性が困難となり、上記範囲の上限値を超えるとプリズムピッチが大きくなり、液晶パネルの画素ピッチと干渉してモアレが発生するためである。
【００２８】
　［プリズム列］
　
プリズム列３４の形状は特に限定されず、プリズムシート３０に求める性能に合わせて適宜決定することができる。例えば、高輝度面光源装置用のプリズムシートでは、プリズム列３４の高さを１５〜７５μｍ程度、プリズム頂角を４５〜７５°程度、プリズム列３４のピッチを１０〜７０μｍ程度とすることが好ましい。
ウ　「【図４】
」
エ　「【図６】
」
（２）平成２８年４月１８日付けで当審において通知した拒絶の理由に引用された特開２００４−４６０７６号公報（以下「周知例２」という。）には、次の事項が図とともに記載されている。
ア　「【００１４】
【発明の実施の形態】
　以下、図面を参照しながら、本発明の実施の形態を説明する。
　図１は、本発明による面光源装置の一つの実施形態を示す模式的斜視図である。
図１に示されているように、本発明の面光源装置は、少なくとも一つの側端面を光入射面３１とし、これと略直交する一つの表面を光出射面３３とする導光体３と、この導光体３の光入射面３１に対向して配置され光源リフレクタ２で覆われた一次光源１と、導光体３の光出射面上に配置された光偏向素子４
【００１５】
　導光体３は、ＸＹ面と平行に配置されており、全体として矩形板状をなしている。導光体３は４つの側端面を有しており、そのうちＹＺ面と平行な１対の側端面のうちの少なくとも一つの側端面を光入射面３１とする。光入射面３１は光源１と対向して配置されており、光源１から発せられた光は光入射面３１から導光体３内へと入射する。本発明においては、例えば、光入射面３１と対向する側端面３２等の他の側端面にも光源を配置してもよい。
【００１６】
　導光体３の光入射面３１に略直交した２つの主面は、それぞれＸＹ面と略平行に位置しており、いずれか一方の面（図では上面）が光出射面３３となる。
この光出射面３３またはその裏面３４のうちの少なくとも一方の面に粗面からなる指向性光出射機能部や、プリズム列、レンチキュラーレンズ列、Ｖ字状溝等の多数のレンズ列を光入射面３１と略平行に形成したレンズ面からなる指向性光出射機能部などを付与することによって、光入射面３１から入射した光を導光体３中を導光させながら光出射面３３から光入射面３１および光出射面３３に直交する面（ＸＺ面）内の出射光光度分布において指向性のある光を出射させる。
・・・略・・・
【００２３】
　図１に示したように、
導光体３の裏面３４あるいは光出射面３３にレンズ列を形成する場合、そのレンズ列としては略Ｘ方向に延びたプリズム列、レンチキュラーレンズ列、Ｖ字状溝等が挙げられるが、ＹＺ方向の断面の形状が略三角形状のプリズム列とすることが好ましい。
【００２４】
　本発明において、導光体３に形成されるレンズ列としてプリズム列を形成する場合には、その頂角を７０〜１５０度の範囲とすることが好ましい。これは、頂角をこの範囲とすることによって導光体３からの出射光を十分集光さることができ、面光源素子としての輝度の十分な向上を図ることができるためである。すなわち、プリズム頂角をこの範囲内とすることによって、出射光光度分布（ＸＺ面内）におけるピーク光を含みＸＺ面に垂直な面において出射光光度分布の半値全幅が３５〜６５度である集光された出射光を出射させることができ、面光源素子としての輝度を向上させることができる。
なお、プリズム列を光出射面３３に形成する場合には、頂角は８０〜１００度の範囲とすることが好ましく、プリズム列を裏面３４に形成する場合には、頂角は７０〜８０度または１００〜１５０度の範囲とすることが好ましい
イ　「【００８９】
　実施例１
　アクリル樹脂（三菱レイヨン（株）製アクリペットＶＨ５＃０００）を用い射出成形することによって一方の面がマットである導光体を作製した。該導光体は、２１６ｍｍ×２９０ｍｍ、厚さ２．０ｍｍ−０．７ｍｍのクサビ板状をなしていた。この導光体の鏡面側に、導光体の長さ２３０ｍｍの辺（短辺）と平行になるように、アクリル系紫外線硬化樹脂によってプリズム列のプリズム頂角１００°、ピッチ５０μｍのプリズム列が並列に連設配列されたプリズム層を形成した。導光体の長さ２９０ｍｍの辺（長辺）に対応する一方の側端面（厚さ２．０ｍｍの側の端面）に沿って冷陰極管を光源リフレクター（麗光社製銀反射フィルム）で覆い配置した。さらに、その他の側端面に光拡散反射フィルム（東レ社製Ｅ６０）を貼付し、プリズム列配列（裏面）に反射シートを配置した。以上の構成を枠体に組み込んだ。この導光体は、光入射面および光出射面の双方に垂直な面内での出射光光度分布（ＸＺ面内）の最大ピーク角度は光出射面法線方向に対して７０度、半値全幅は２２．５度であった。
【００９０】
　一方、屈折率１．５０６４のアクリル系紫外線硬化性樹脂を用いて、表１に示したように、プリズム列を構成する一方のプリズム面（第１のプリズム面）を法線とのなす角度（α）が３２．５度の平面とし、他方のプリズム面（第２のプリズム面）をプリズム頂部からプリズム列の高さ２１．４μｍまでを短軸の曲率半径４００μｍ、長軸の曲率半径８００μｍの非球面形状（曲率半径８００μｍの曲面）の凸曲面（傾斜角＝５６．６度、β＝３３．８度）、プリズム頂部からプリズム列の高さ２１．４μｍ以上を曲率半径４００μｍの球面形状の凸曲面（傾斜角＝５９．０度）とする２つの凸曲面（プリズム頂部側からエリア１、２）で構成した
ピッチ５６．５μｍのプリズム列が略並列に連設されたプリズム列形成面を、厚さ１２５μｍのポリエステルフィルムの一方の表面に形成したプリズムシートを作製した。
【００９１】
　得られたプリズムシートを、上記導光体の光出射面側にプリズム列形成面が向き、導光体の光入射面にプリズム稜線が平行であり第１のプリズム面が光源側となるように載置し、面光源装置を得た。この面光源装置の光入射面および光出射面の双方に垂直な面内での出射光輝度分布（ＸＺ面内）を求め、比較例１を基準とした場合のピーク輝度比率、ピーク角度、ピーク輝度の１／２の輝度を有する角度（半値全幅）、ピーク輝度の１／２の輝度を有する角度の差の絶対値（|Δθａ−Δθｂ|）を測定し、その結果を表２に示した。」
ウ　「【図１】
」
（３）引用例１及び周知例２から把握される周知技術
　上記１（４）〜（６）及び（８）並びに上記２（２）からみて、本願の優先権主張の日（以下、「優先日」という。）前に、「光源からの光を導光する導光体の光出射面側にプリズムシートが配置された面光源装置の技術分野において、導光体の光出射面に粗面又はレンズ列からなる指向性光出射機能部を設けること」は、周知（以下、「周知技術１」という。）であったと認められる。
（引用例１の【００２３】【００５８】【００７４】【００７６】【図１】、周知例２の【００１４】【００１６】【００２３】００２４】【図１】）
第５　対比
　本願発明と引用発明とを対比する。
１　引用発明の「冷陰極管からなる一次光源」は、本願発明の「光源」に相当する。
２　引用発明の「導光体」について、引用例１の段落［0076］に「
光入射端面３１から入射した光を導光体３中を導光させながら光出射面３３から
指向性のある光を出射させる。
３　引用発明の「レンズ列付光拡散フィルム」における「透光性基材」は、「一方の表面に微細凹凸構造を形成」されるとともに、「裏面側に並列配置の多数のプリズム列を付与」されていることから、「レンズ列付光拡散フィルム」の本体部をなしていることは明らかである。そして、引用発明の「透光性基材」は、「ＰＥＴフィルムからなる」なることからシート状であることも明らかであって、かつ透光性を有していることから、本願発明の「光透過性を有するシート状の本体部」に相当する。
４　引用発明の「透光性基材」（本願発明の「光透過性を有するシート状の本体部」に相当。以下、「」に続く（）内の用語は、対応する本願発明の用語を表す。）の「一方の表面に微細凹凸構造を形成」することについて、引用例１の［0118］には、「紫外線硬化性組成物を、ゴムロールによりロール型へとニップされている透光性基材の一方の表面に供給した。ロール型を回転させながら、紫外線硬化性組成物がロール型と透光性基材との間に挟まれた状態で、紫外線照射装置から紫外線を照射し、
紫外線硬化性組成物を重合硬化させロール型の形状転写面の凹凸構造を転写させた。その後、ロール型より離型し、光拡散フィルムを得た。
５　引用発明の「レンズ列付光拡散フィルム」における「裏面側に並列配置の多数のプリズム列」は、「シート状の本体部」（本体部）のシート面である裏面に沿って、並列に配置されていることは明らかであるので、本願発明の「単位プリズムがシート面に沿った方向に配列された単位プリズム部」に相当する。
６　上記３ないし５からみて、引用発明の「レンズ列付光拡散フィルム」は、本願発明の「本体部」、「単位プリズム部」及び「光拡散層」を備えた「プリズムシート」に相当する。また、引用発明の「プリズム列を構成するプリズム」が、本願発明の「単位プリズム部」の「単位プリズム」に相当するものである。
７　引用発明の「レンズ列付光拡散フィルム」（プリズムシート）は、「アクリル樹脂製導光体の光出射面上に」「プリズム列形成面が下向きとなるように載置」されていることから、本願発明の「プリズムシート」と、「導光板の出光面側に配置される」点で、一致する。
８　上記７からみて、引用発明の「レンズ列付光拡散フィルム」（プリズムシート）は、「導光体」（導光板）上に「プリズム列」（単位プリズム部）を下向きとなるように、すなわち「プリズム列」（単位プリズム部）が「導光体」（導光板）を向くように配置されているので、引用発明の「プリズム列」は、本願発明の「単位プリズム部」と、「本体部より前記導光板側に配置され」た点で一致する。
９　上記７及び８からみて、引用発明の「レンズ列付光拡散フィルム」（プリズムシート）に配置された「光拡散層」は、本願発明の「光拡散層」と、「本体部のうち前記導光板側とは反対側に配置された」点で一致する。
１０　引用発明の「プリズム」（単位プリズム）は、「断面が第１のプリズム面及び第２のプリズム面を有する三角形状」であって、「第１のプリズム面へ入射した光を第２のプリズム面によりほぼ内面全反射されてほぼ出光面の法線の方向に進行させ」るものであるので、本願発明の「単位プリズム」と、「凸状の断面形状はその先端の頂点を挟んで一方が入光面、他方が反射面として作用する」点で一致する。
１１　本願発明の「光拡散層の表面粗さをＲａ（μｍ）」は、本願の発明の詳細な説明（例えば【００４９】）において算術平均粗さＲａであることが記載されていることから、引用発明の「微細凹凸構造の算術平均粗さＲａ」は、本願発明の「光拡散層の表面粗さ」「Ｒａ（μｍ）」に相当する。
１２　引用発明において、「プリズム」（単位プリズム）は、「ピッチが５０μｍ」であり、かつ「一方の表面における微細凹凸構造の算術平均粗さＲａが０．０６９μｍ」である。そうすると、引用発明の「算術平均粗さＲａ」は、本願発明の「Ｒａが０．０３８（μｍ）以上」を満たすとともに、本願発明の「Ｒａ≦−０．０２９６・Ｐ＋１．９４４１」の式において、ピッチＰを引用発明の「ピッチが５０μｍ」として算出すると、Ｒａ≦０．４６４１となる。してみると、引用発明の「微細凹凸構造の算術平均粗さＲａ」（光拡散層の表面粗さＲａ）と、本願発明の「光拡散層の表面粗さ」「Ｒａ（μｍ）」とは、「複数の単位プリズムのピッチをＰ（μｍ）、前記光拡散層の表面粗さをＲａ（μｍ）としたとき」「Ｒａが０．０３８（μｍ）以上において、 Ｒａ≦−０．０２９６・Ｐ＋１．９４４１」が成り立つ点で一致する。
１３　引用発明の「面光源装置」は、本願発明の「光源」、「導光板」、及び「プリズムシート」を備えた「面光源装置」に相当する。
１４　上記１ないし１３からみて、本願発明と引用発明とは、
「光源と、
　前記光源から出射した光を導光する導光板と、
　前記導光板の出光面側に配置されるプリズムシートと、を備え、
　前記プリズムシートは、
　光透過性を有するシート状の本体部と、
　前記本体部より前記導光板側に配置され、複数の凸状であり、該凸状の断面形状はその先端の頂点を挟んで一方が入光面、他方が反射面として作用する単位プリズムがシート面に沿った方向に配列された単位プリズム部と、
　前記本体部のうち前記導光板側とは反対側に配置された光拡散層と、を備える、
　面光源装置。」である点で一致し、次の点で相違する。
相違点１：
　導光板は、
　本願発明では、「出光面側の面に集光作用を及ぼす複数の凸部である単位光学要素が配置された凹凸形状を具備して」いるのに対し、
　引用発明は、出光面側の面の形状が明らかでない点。
相違点２：
　プリズムシートは、
　本願発明では、「前記複数の単位プリズムのピッチをＰ（μｍ）、前記光拡散層の表面粗さをＲａ（μｍ）としたとき、ギラツキ指標が０．１１０未満、Ｒａが０．０３８（μｍ）以上において、Ｒａ≦−０．０２９６・Ｐ＋１．９４４１が成り立つ」のに対し、
　引用発明は、Ｒａが０．０３８（μｍ）以上において、Ｒａ≦−０．０２９６・Ｐ＋１．９４４１が成り立つものではあるが、ギラツキ指標の数値範囲が不明であるため、ギラツキ指標が０．１１０未満においても、Ｒａ≦−０．０２９６・Ｐ＋１．９４４１が成り立つかどうか、明らかでない点。
第６　判断
１　上記相違点１について検討する。
（１）上記第４の２（４）において周知技術１として認定しているように、本願の優先日前に面光源装置の高輝度化や出射する光の高指向性のために、「光源からの光を導光する導光体の光出射面側にプリズムシートが配置された面光源装置の技術分野において、導光体の光出射面に粗面又はレンズ列からなる指向性光出射機能部を設けること」は、周知であって、周知技術１における「指向性光出射機能部」は、光を集光して指向する方向に出射する作用を有しているものであることは、技術常識からみて明らかである。
（２）そして、引用例１の段落［0076］には、「光出射面３３に粗面やレンズ列からなる指向性光出射機構を付与することによって、光入射端面３１から入射した光を導光体３中を導光させながら光出射面３３から光入射端面３１および光出射面３３に直交する面（ＸＺ面）内において指向性のある光を出射させる。」と記載されているところ、引用発明の「導光体」（導光板）に上記周知技術１を適用し、具体的な「指向性光出射機能部」のレンズ列として、凸状のレンズ列を採用することは、当業者が適宜なし得ることである。
２　上記相違点２について検討する。
（１）引用例１の段落［0002］には、「光偏向素子による指向性の高い光源を用いると
ぎらつき現象（スペックル）が発生する。
本発明の他の目的は、光透過性が高く、ぎらつきのない、高い隠蔽性を有する光拡散フィルムを提供すること
（２）そして、引用例１の実施例５３（［0129］［表２］中、実施例２１）の評価結果には、「まったくぎらつきは視認されない。」と記載されているから、引用例１には、ギラツキが発生しないとされる、本願発明の「ギラツキ指標が０．１１０未満」であることが記載されていると認められる。それに加え、引用発明は、上記「第５　対比」の１２に示したように、本願発明の「光拡散層の表面粗さをＲａ（μｍ）」の数値範囲を満たしているものである。
（３）したがって、引用発明の「レンズ列付光拡散フィルム」（プリズムシート）は、本願発明の「プリズムシート」と同様に、「ギラツキ指標が０．１１０未満、Ｒａが０．０３８（μｍ）以上において、Ｒａ≦−０．０２９６・Ｐ＋１．９４４１が成り立つ」ものである。
（４）仮に、上記（２）において引用例１に記載されていると認められたことが、記載されていない場合であっても、そもそも引用例１に記載された発明はギラツキの抑制を課題としているところ、結果として本願発明同様のギラツキ指標を有しつつ、Ｒａが０．０３８（μｍ）以上において、Ｒａ≦−０．０２９６・Ｐ＋１．９４４１が成り立つように、引用発明の「微細凹凸構造の算術平均粗さＲａ」（光拡散層の表面粗さをＲａ）を調整することは、当業者であれば適宜なし得たことである。
３　本願発明の奏する作用効果は、引用発明及び上記周知技術１の奏する作用効果から予測される範囲内のものにすぎず、当業者が予測することができた程度のものである。
４　したがって、本願発明は、当業者が引用例１に記載された発明及び上記周知技術１に基づいて容易に発明をすることができたものである。
第７　むすび
　以上のとおり、本願発明は、当業者が、引用例１に記載された発明及び上記周知技術１に基づいて容易に発明をすることができたものであるから、特許法第２９条第２項の規定により特許を受けることができない。
　よって、結論のとおり審決する。